(57)【要約】【課題】通常のドラムと同様に胴本体のサイズを変更することなく音色を変えることができるドラムを提供する。【解決手段】胴本体２の各開口端２ａ、２ｂにドラムヘッド３をそれぞれ張設する。胴本体２の周壁に胴本体２の内外を連通させる空気抜き部２１を形成し、この空気抜き部２１を胴本体２の内側から空気の流通に対して負荷となる音色変更部材２２によって閉塞する。音色変更部材２２としては、布、ゴムシート等が用いられる。【選択図】  図２
2008292808.tif 000002
【特許請求の範囲】
【請求項１】
胴本体の各開口端にドラムヘッドをそれぞれ張設し、前記胴本体の周壁に胴本体の内外を連通させる空気抜き部を設けたドラムにおいて、
前記空気抜き部に空気の流通に対して負荷となる音色変更部材を固定したことを特徴とするドラム。
【請求項２】
請求項１記載のドラムにおいて、
前記音色変更部材を弾性体で構成したことを特徴とするドラム。
【請求項３】
請求項１記載のドラムにおいて、
前記音色変更部材を非弾性体で構成したことを特徴とするドラム。
【請求項４】
請求項１記載のドラムにおいて、
前記音色変更部材を空気透過性を有する部材で構成したことを特徴とするドラム。
【請求項５】
請求項１記載のドラムにおいて、
前記音色変更部材を空気不透過性を有する部材で構成したことを特徴とするドラム。
【請求項６】
請求項１記載のドラムにおいて、
請求項１〜５のうちのいずれか一項に記載のドラムにおいて、
前記音色変更部材を胴本体の内壁に着脱可能に取付けたことを特徴とするドラム。
【請求項７】
請求項１〜６のうちのいずれか一項に記載のドラムにおいて、
前記胴本体は軸線方向に分割された第１、第２の分割胴で構成され、これらの分割胴は複数個のラグによって互いに連結され、両分割胴の連結側開口端間に空気抜き部が形成されていることを特徴とするドラム。
【発明の詳細な説明】
【技術分野】
【０００１】
本発明は、バスドラム、スネアドラム、マーチングドラム等に適用して好適なドラムに関するものである。
【背景技術】
【０００２】
バスドラム、スネアドラム、マーチングドラム等のドラムは、胴本体の両端開口部にそれぞれ張設された２枚のドラムヘッドを備えている。演奏に際して、ドラムヘッドは打撃されると打撃による一次的な音を発する。また、胴本体内の空気柱は、いずれか一方のドラムヘッドが打撃されると、この振動を他方のドラムヘッドに伝達し、これによって他方のドラムヘッドが振動すると、この振動を一方のドラムヘッドに伝達する。このため、両方のドラムヘッドは胴本体内の空気柱を介して繰り返し振動することにより、二次的な音を発する。このように、ドラムは、打撃音による一次的な発音と、その後の振動の持続による二次的な発音によってドラム演奏が行われるものである。
【０００３】
図５はスネアドラム１の従来例を示す。このスネアドラム１は、両端開放の円筒状に形成された胴本体２と、この胴本体２の両端開口部にヘッド支持緊張手段４によってそれぞれ一様な張力になるように張設されたドラムヘッド３とを備えている。
【０００４】
胴本体２は、木材、ＦＲＰ、金属等によって製造され、形状を安定に維持し気候条件、ドラムヘッド３の張力等によって変形せず、調音の狂いが少ないこと、自己振動または自己吸収を起こさないこと等が要求される。
【０００５】
ドラムヘッド３としては、天然皮革、合成樹脂製のフィルム（例：ポリエステル樹脂、ポリカーボネート樹脂等）等が用いられる。
【０００６】
ヘッド支持緊張手段４は、ドラムヘッド３の周縁部を保持し、胴本体２の外周面開口端部に嵌装されるヘッド枠５（図２参照）と、このヘッド枠５の外周に嵌装される締め枠６と、胴本体２の外周面に固定された複数個のラグ７と、各ラグ７と前記締め枠６を連結するチューニングボルト８等で構成されている。チューニングボルト８をチューニングキーによって回転させて締め枠６を軸線方向に移動させると、締め枠６のヘッド枠５に対する押圧力が変化し、これによってドラムヘッド３の張力、言い換えればドラムの音色が調節される。なお、９はスナッピー、１０はスナッピー９をドラムヘッド３に対して選択的に接触離間させるストレイナーである。
【０００７】
ところで、２枚のドラムヘッド３を備えたスネアドラム１においては、胴本体２の周壁に内外を連通させる通称ベントホールと呼ばれる空気抜き穴１１を備えたものと、備えないものの２種類がある。空気抜き穴１１を備えないスネアドラムの場合は、打撃時の胴本体２内の空気圧の増加が急激すぎて、ドラムヘッド３の変位によって生じる弾性波とドラムヘッド３の裏面で反射した弾性波が強く干渉して音量を減少させる。また、振動の減衰が遅く、切れのはっきりしないドラム音となる。  
【０００８】
一方、空気抜き穴１１を備えたスネアドラムの場合は、空気抜き穴１１によって胴本体２内の空気圧が急激に増加するのを防ぎ、弾性波の干渉を弱め、音量を確保した上で派生共鳴音を取り除く。また、空気抜き穴１１は、特にドラムヘッド３を弱く叩く弱音演奏時には音色のくもりを取り除き、強く叩く強奏時にはドラムヘッド３の破損を防止する役目をも果たしている。
【０００９】
空気抜き穴１１を有するスネアドラム１において、ドラムヘッド３を打撃すると、非打撃時のドラムヘッド位置よりも胴本体２の内側位置を中心としてドラムヘッド３が振動する。その理由は、打撃によりドラムヘッド３が胴本体２の内側に変位して空気抜き穴１１から空気が胴本体２の外部に排出されると、見かけ上胴本体２の容積が減少した状態、すなわち、胴本体２内の空気圧が大気圧以下の状態を基準として振動するからである。しかし、この振動状態は安定な状態ではなく振動エネルギの損失が大きいので速く振動が減衰する。その結果として、空気抜き穴１１を設けない場合に比べてドラム音の切れは良くなる。
【００１０】
しかしながら、単に胴本体２に空気抜き穴１１を設けただけでは、外から内へ空気が流れ込むと不安定な振動状態からエネルギ損失の小さい安定な振動状態（ドラムヘッド３が非打撃時のドラムヘッド位置を中心として振動する状態）に比較的短い時間で移行してしまうため、振動の減衰が遅くなり、かならずしも満足のいく切れの良い音が得難いという問題があった。そこで、このような問題を解決するために、例えば特許文献１に開示されたドラムが知られている。
【００１１】
前記特許文献１に記載されているドラムは、空気の流れをドラムの内部から外部のみに制限する逆止弁を空気抜き穴に設けたものである。このような逆止弁を設けると、弁が外から内方向への空気の流れを阻止するため、ドラムヘッドの振動をより速く減衰させることができ、切れのよい音が得られる。
【００１２】
また、ドラム音の音色を変えることができるようにしたドラムとしては、例えば特許文献２〜４に開示されたドラムが知られている。
【００１３】
特許文献２に開示されているドラムは、胴本体の深さを変えることにより、胴本体内の空気負荷を変化させ音色を変えるようにしたものである。このため、胴本体を軸線方向に２分割されたトップシェルとボトムシェルとで構成し、これらのシェルを連結部材によって互いに接近離間可能に連結し、必要に応じて２つのシェルの接合面間に隙間を形成し、この隙間を空気抜き穴として利用するようにしている。また、別の実施例として、トップシェルとボトムシェルとの間にインターメディエートシェルを介在させ、このインターメディエートシェルとトップシェル、ボトムシェルとの間に隙間をそれぞれ設け、この隙間に音をダンピングするかまたは音色を変更するスクリーンをそれぞれ設けている。
【００１４】
特許文献３に開示されているドラムは、径が異なる大小２つのシェルでドラムの胴を構成し、これらのシェルを嵌合しボルトによって段階的に長さを調整可能に連結することにより、胴の深さを変えるようにしている。
【００１５】
特許文献４に記載されているドラムは、胴本体を軸線方向に分割された第１、第２、第３の胴構成部材で構成し、第１、第２の胴構成部材間に第３の胴構成部材を介在させ、第１、第２の胴構成部材の第３の胴構成部材側とは反対側の開口端面にドラムヘッドをそれぞれ張設している。第１、第２、第３の胴構成部材は、材質、構成、胴の深さ等が異なるものを各種用意し、これらを選択的に使用することにより、音色、高音、低音特性、減衰時間等を変えるようにしている。
【００１６】
【特許文献１】特開平０８−６５４７号公報
【特許文献２】米国特許第４３００４３７号明細書
【特許文献３】米国特許第４０６００１９号明細書
【特許文献４】特開２００１−３１８６６７号公報
【発明の開示】
【発明が解決しようとする課題】
【００１７】
しかしながら、上述した特許文献１〜４に記載されているドラムは、それぞれ一長一短があり、未だ改良の余地があった。すなわち、特許文献１に記載されているドラムは、演奏時に弁本体と、この弁本体を閉方向に付勢するばねとが共振系を構成する。このため、効率よく空気を胴本体の外部に流出させるためには、共振系の振動ピッチがドラムヘッドの振動ピッチと一致するように共振系をドラムの機種毎に設計する必要がある。したがって、弁の設計が面倒で、種類が増加するという問題があった。また、逆止弁を胴本体の外側に設けているので、ドラムの外観体裁を著しく損なうという問題もあった。
【００１８】
特許文献２に記載されているドラムは、トップシェルとボトムシェルをスライド機構によって相対的に接近離間可能に連結しているので、上記した特許文献１に記載のドラムと同様に、スライド機構が胴本体の外部に露呈してドラムの外観体裁を著しく低下させる。また、シェル自体を接近離間させてシェル内の空気負荷や空気の流れを変化させると、胴の深さも変化してしまう。特に、胴の深さは、演奏者によっては演奏性に大きく影響するため、胴の深さがその都度変化することは好ましくない。一方、インターメディエートシェルにダンピング効果を有するかまたは音色を変更するスクリーンを設けたドラムにおいては、スクリーン自体にある程度の硬さがないと形状を安定に維持することができず、使用材質に制約がある。また、このドラムは、２つまたは３つのシェルを接近離間可能に連結しているため、深さが深い胴本体（一般的な深さ：３０．４８ｍｍ＝１２インチ）を備えたドラム、例えばマーチングドラムに適するが、深さが浅い胴本体（一般的な深さ：１３．９７ｍｍ＝５．５インチ）を備えたドラム、例えばスネアドラムには不適である。
【００１９】
特許文献３に記載されているドラムも、前記特許文献２に記載されているドラムと同様に胴の深さが変化するため好ましくない。
【００２０】
特許文献４に記載されているドラムは、材質、構成等が異なった各種の胴構成部材を用意しなければならないため、その保管、管理、運搬等が煩わしいという問題があった。
【００２１】
本発明は、上記した従来の問題を解決するためになされたもので、その目的とするところは、胴本体のサイズや深さを変更することなく音色を変えることができるようにしたドラムを提供することにある。
【課題を解決するための手段】
【００２２】
上記目的を達成するために本発明は、胴本体の各開口端にドラムヘッドをそれぞれ張設し、前記胴本体の周壁に胴本体の内外を連通させる空気抜き部を設けたドラムにおいて、前記空気抜き部に空気の流通に対して負荷となる音色変更部材を固定したものである。
【００２３】
また、本発明は、前記音色変更部材を弾性体で構成したものである。
【００２４】
また、本発明は、前記音色変更部材を非弾性体で構成したものである。
【００２５】
また、本発明は、前記音色変更部材を空気透過性を有する部材で構成したものである。
【００２６】
また、本発明は、前記音色変更部材を空気不透過性を有する部材で構成したものである。
【００２７】
また、本発明は、前記音色変更部材を胴本体の内壁に着脱可能に取付けたものである。
【００２８】
さらに、本発明は、前記胴本体を軸線方向に分割された第１、第２の分割胴で構成し、これらの分割胴を複数個のラグによって互いに連結し、両分割胴の連結側端面間に空気抜き部を形成したものである。
【発明の効果】
【００２９】
本発明においては、空気抜き部に空気の流通に対して負荷となる音色変更部材を固定したので、胴本体の深さを変更することなく音色を変化させることができる。
また、本発明は、音色変更部材として、弾性体、非弾性体、空気透過性を有する部材または空気不透過性を有する部材を用いることにより、音色にバリエーションをもたせることができる。
また、音色変更部材を胴本体から取り外せば、空気抜き部を有する通常のドラムとして使用することができ、空気不透過性を有する部材を用いた場合は、空気抜き部を備えないドラムとして使用することができる。
さらに、音色変更部材を胴本体の内壁に取付けているため、ドラムの外観を損なうことがない。
なお、本発明において、「空気抜き部」は、空気が流通する部分を総称する広い用語であり、穴、切欠き、隙間等を含むものである。
【発明を実施するための最良の形態】
【００３０】
以下、本発明を図面に示す実施の形態に基づいて詳細に説明する。
図１は本発明に係るドラムの一実施の形態を示すスネアドラムの正面図、図２はスネアドラムの要部の断面図である。なお、従来技術で示した構成部品と同一のものについては同一符号をもって示し、その説明を適宜省略する。
【００３１】
スネアドラム２０は、円筒体からなる胴本体２の周壁に形成され胴本体２の内外を連通させる空気抜き部２１に音色変更部材２２が固定されている点で、図５に示した従来のスネアドラム１と異なり、その他の構成は全く同一である。この場合、本実施の形態においては、空気抜き部２１を胴本体２の周方向に適宜間隔おいて形成した複数個の穴で構成した例を示したが、これに限らず１つの穴であってもよい。また、空気抜き部２１の大きさも胴本体２のサイズ、空気抜き部２１の数等によって適宜変更することができる。
【００３２】
前記音色変更部材２２は、前記空気抜き部２１を塞ぐように胴本体２の内壁に両面粘着テープ、接着剤、止めねじ、帯状の弾性リング等の適宜な固定手段によって着脱可能に固定されている。このような音色変更部材２２としては、音色を変更するものであればどのようなものでもあってもよく、弾性体、非弾性体、空気透過性を有する部材、空気不透過性を有する部材等が用いられる。例えば、ゴムシートやプラスチック製の軟質シートは弾性体でかつ空気不透過性を有する部材に属し、木製や金属製のプレートは非弾性体に属し、布、フェルト、不織布等の網状素材は空気透過性を有する部材に属する。
【００３３】
このように、音色変更部材２２によって空気抜き部２１を塞ぐと、演奏時に音色変更部材２２のために胴本体２内の空気の流れや空気負荷が変化するため、前述した特許文献２〜４に記載されているドラムとは異なり胴本体２の深さや分割胴の材質を変更することなくドラムの音色を変化させることができる。
【００３４】
例えば、音色変更部材２２として布を用いると、ドラムヘッド３の振動を自然に抑制した感じで音の減衰が速く、まとまりのあるドラム音が得られた。これは、音色変更部材２２の存在によって空気の出入りが遅くなるため、胴本体２内の空気負荷の変化が抑制されることによるものと考えられる。
【００３５】
したがって、ドラム自体の構造が簡単で通常のドラムとほとんど変わらず、また胴本体２の深さを変える必要がないので、奏者の演奏性に影響を及ぼすこともない。
【００３６】
また、空気抜き部２１の数や大きさを変えたり、あるいは空気透過率が異なる音色変更部材２２を用いると、空気の流れ方や空気負荷が変化するため、音色を微妙に変化させることができることが判った。
【００３７】
例えば、空気抜き部２１を２つ設け、これらの空気抜き部２１を空気透過率が５０％の音色変更部材２２で塞いだ場合と、空気抜き部２１を１つとし、音色変更部材によって塞がない場合とでは、胴本体２内の空気の流れ方と空気抜き部２１を通過する空気の流速が異なるため、音色を異ならせることができた。
【００３８】
また、前述した特許文献１に記載のドラムとも異なった音色を得ることができる。すなわち、特許文献１に記載のドラムは、ドラムヘッドを叩いた瞬間に弁が開き、その直後に閉じるため、空気透過率は１か０である。一方、本発明においては、音色変更部材２２として布を用いた場合、その空気透過率は布の織り方、材質等によって決まる常に一定な値である。したがって、本発明によるドラムは、特許文献１に記載のドラムとは基本的に胴本体２内の圧力変化の仕方が異なり、異なった音色を得ることができる。また、弁のように可動する部材がないため、共振してノイズなどが発生することもない。
【００３９】
音色変更部材２２として、空気透過率が０％のゴムシートを用いた場合は、空気抜き部２１を完全に閉塞するため、空気抜き部２１のないドラムとして使用することができる。この場合は、上記したように打撃時の胴本体２内の空気圧が急激に変化するため、ドラムヘッド３の変位によって生じる弾性波とドラムヘッド３で反射した弾性波が強く干渉して互いに打ち消し合い音量を減少させる。また、振動の減衰が遅く、切れのはっきりしないドラム音となる。
【００４０】
また、音色変更部材２２は胴本体２の内壁に固定されているので、ドラム２０の外観体裁を損なうこともない。なお、音色変更部材２２を他の音色変更部材と交換する場合は、チューニングキーによってチューニングボルト８をラグ７から外し、いずれか一方のドラムヘッド３を外して胴本体２を開き、内壁に固定されている音色変更部材２２を他の音色変更部材に交換すればよい。
【００４１】
さらに、本発明は胴本体２の深さを変更する必要がないので、特に胴本体が浅いスネアドラムに適用して好適である。
【００４２】
図３は本発明の他の実施の形態を示すスネアドラムの正面図、図４はスネアドラムの要部の断面図である。
これらの図において、スネアドラム３０は、軸線方向に分割して形成された２つの分割胴３１Ａ、３１Ｂからなる胴本体３１を備えている。２つの分割胴３１Ａ、３１Ｂは、連結側開口端３３ａ（ドラムヘッド３が張設される開口端３３ｂとは反対側の開口端）に掛け渡された複数のワンピースタイプのラグ７とストレイナー１０とによって軸線を一致させて連結されている。ラグ７の両端部は、各分割胴３１Ａ、３１Ｂの内側からねじ込まれるボルト３４によって各分割胴３１Ａ、３１Ｂの外壁にそれぞれ固定されている。各分割胴３１Ａ、３１Ｂのラグ７側とは反対側の各開口端３３ｂには、それぞれドラムヘッド３が張設されるとともに、ドラムヘッド３の外周を保持するヘッド枠５と締め枠６が嵌装されている。また、締め枠６はチューニングボルト８によって前記ラグ７に連結されることにより前記ヘッド枠５を押圧し、ドラムヘッド３に所定の張力を付与している。なお、ワンピースタイプのラグ７は、両端にそれぞれチューニングボルト８が連結されることにより、２つのドラムヘッド３に共用されるラグである。
【００４３】
さらに前記２つの分割胴３１Ａ、３１Ｂの連結側開口端３３ａ間には、空気抜き部３２が形成されている。この場合、本実施の形態においては、分割胴３１Ａ、３１Ｂを適宜間隔を離間させて連結したため、両分割胴間の環状隙間を空気抜き部３２とした例を示したが、これに限らず分割胴３１Ａ、３１Ｂの連結側開口端３３ａを互いに当接させて両分割胴を連結し、分割胴３１Ａ、３１Ｂの少なくもいずれか一方の連結側開口端３３ａに適宜個数の切欠きないし凹部を形成し、この切欠きないし凹部を空気抜き部としてもよい。そして、胴本体３１の内壁には、上記した実施の形態と同様に布、ゴムシートなどの音色変更部材２２が固定され、前記空気抜き部３２を覆っている。
【００４４】
このようなスネアドラム３０においても、上記した実施の形態と同様に、空気抜き部３２の大きさ、数、音色変更部材２２の材質、空気透過率等を変えることにより、胴本体３１の深さやドラム自体のサイズを変えることなく音色を変更することができる。
【００４５】
また、音色変更部材２２の色や質感をドラムに合わせて変えると、ドラム自体の外観の斬新性ないし意匠性をも向上させることができる。
【００４６】
なお、上記した実施の形態は、いずれもスネアドラムに適用した例を示したが、本発明はこれに何ら特定されるものではなく、マーチングドラムやバスドラムにも適用することができる。
【図面の簡単な説明】
【００４７】
【図１】本発明に係るドラムの一実施の形態を示すスネアドラムの正面図である。
【図２】スネアドラムの要部の断面図である。
【図３】本発明に係るドラムの一実施の形態を示すスネアドラムの正面図である。
【図４】スネアドラムの要部の断面図である。
【図５】従来のスネアドラムの外観斜視図である。
【符号の説明】
【００４８】
１…スネアドラム、２…胴本体、３…ドラムヘッド、７…ラグ、１１…空気抜き穴、２０…スネアドラム、２１…空気抜き部、２２…音色変更部材、３０…スネアドラム、３１…胴本体、３１Ａ、３１Ｂ…分割胴、３２…空気抜き部。
【図１】
2008292808.tif 000003
【図２】
2008292808.tif 000004
【図３】
2008292808.tif 000005
【図４】
2008292808.tif 000006
【図５】
2008292808.tif 000007